(57)【要約】【課題】被検者の排尿の状況を被検者自身が簡単な操作で記録できるようにする。【解決手段】過活動膀胱の症状を表す情報を入力するスイッチ１３２、１３４、１３６と、尿量を計測する計測部１２０と、計測部１２０が計測した尿量およびスイッチ１３２、１３４、１３６から入力された過活動膀胱の症状を表す情報を記録する記録部と、を有する。【選択図】図１
2020119442.tif 000002
【特許請求の範囲】
【請求項１】
過活動膀胱の症状を表す情報を入力するスイッチと、
入力された前記過活動膀胱の症状を表す前記情報を記録する記録部と、
を有する、排尿日誌記録装置。
【請求項２】
前記スイッチは、
通常排尿されるときに操作される通常排尿の記録スイッチと、
尿意切迫感があったときに操作される切迫感の記録スイッチと、
尿失禁のあったときに操作される尿漏れの記録スイッチと、
の内の少なくともいずれか１つ以上の記録スイッチを含む、請求項１に記載の排尿日誌記録装置。
【請求項３】
前記記録部は、
前記記録スイッチの種類別を記録すると同時に、前記記録スイッチが操作された時のタイミングを排尿開始時刻としてまたは排尿終了時刻として記録する、請求項２に記載の排尿日誌記録装置。
【請求項４】
時計型で実装した請求項１から３のいずれかに記載の排尿日誌記録装置。
【請求項５】
尿量を計測する計測部を有し、
前記記録部は、
前記計測部が計測した前記尿量および前記記録スイッチから入力された前記記録スイッチの種類別を記録する、請求項２に記載の排尿日誌記録装置。
【請求項６】
前記記録部は、
前記記録スイッチが操作されたタイミングを排尿開始時刻として記録する、前記計測部により前記尿量が計測されたタイミングを排尿終了時刻として記録する、請求項５に記載の排尿日誌記録装置。
【請求項７】
さらに、
前記記録部に記録されている、前記過活動膀胱の症状を表す前記情報を外部のコンピュータに向けて通信する通信部を有する、請求項１から６のいずれかに記載の排尿日誌記録装置。
【請求項８】
さらに、
前記過活動膀胱の症状を表す前記情報を表示するディスプレイを有する、請求項１から７のいずれかに記載の排尿日誌記録装置。
【発明の詳細な説明】
【技術分野】
【０００１】
本発明は、被検者の排尿の状況を簡単に記録できる排尿日誌記録装置に関する。
【背景技術】
【０００２】
最近の調査では、４０歳以上の男女の８人に１人が、過活動膀胱の症状を持っているようである。過活動膀胱の症状を持っている人は、（１）急に、尿意をもよおし、もれそうでがまんできない（尿意切迫感）という状況になったり、（２）トイレが近い（頻尿）、夜中に何度もトイレに起きる（夜間頻尿）という状況になったり、（３）急に尿をしたくなり、トイレまでがまんできず漏れてしまうという状況になったりすることがある（切迫性尿失禁（尿漏れ））。
【０００３】
過活動膀胱の治療は、まず、この過活動膀胱の症状の度合いを調べることから始める。従来、過活動膀胱の度合いは、たとえば、特許文献１に示すような尿流量測定装置を用いて、被検者に排尿日誌を記録してもらうことによって調べる。排尿日誌の記録に際しては、被検者は、膀胱に尿をためた状態で排尿し、特許文献１のような重量式のセンサで排尿パターンを記録する。排尿パターンとして、排尿の準備が終わって排尿が開始されるまでの待機時間、最大尿流率（ｍｌ／ｓ）、平均尿流量（ｍｌ／ｓ）、最大尿流量到達時間、５−９５％までの時間間隔、実排尿時間、下降時間、全排尿時間、最大尿流率到達時間、排尿量、尿流加速度などが記録される。
【先行技術文献】
【特許文献】
【０００４】
【特許文献１】特開２０１１−１８３１４２号公報
【発明の概要】
【発明が解決しようとする課題】
【０００５】
しかし、従来の尿流量測定装置は、一回ごとの排尿において、上記のような記録はできるものの、被検者の尿の頻度や排尿の状況などを経時的に記録させることまではできない。排尿日誌は、過活動膀胱の治療に非常に重要な情報を提供するが、現状では、被検者が排尿の状況を紙の排尿日誌に排尿の度に記載している。被検者が排尿日誌に毎日排尿の状況を記載することは、非常に手間がかかるため、記載が正確に行われない傾向にあり、特に夜間睡眠期間の記載は患者の大きな負担になるため、過活動膀胱の治療に大きな障害となることがある。
【０００６】
そこで、本発明は、被検者の排尿の状況を被検者自身が簡単な操作で記録できる排尿日誌記録装置の提供を目的とする。
【課題を解決するための手段】
【０００７】
上記目的を達成するための本発明にかかる排尿日誌記録装置は、排尿状況（通常排尿、切迫感あり、尿漏れあり）、排尿時刻（開始時刻と終了時刻）、排尿量などを含む過活動膀胱の症状を表す情報を入力するスイッチと、排尿記録（過活動膀胱の症状を表す情報）を記録する記録部と、を有する。
【発明の効果】
【０００８】
本発明によれば、被検者が、排尿時にスイッチを操作するだけで、過活動膀胱の症状を表す情報を記録させることができる。このため、医療従事者は、記録された情報により、排尿日誌が容易に作成でき、過活動膀胱の診療を適切に行うことができる。
【図面の簡単な説明】
【０００９】
【図１】実施形態１の排尿日誌記録装置の外観図である。
【図２】実施形態１の排尿日誌記録装置の制御系のブロック図である。
【図３】実施形態１の排尿日誌記録装置の記録時の動作フローチャートである。
【図４】実施形態１の排尿日誌記録装置のメモリ記憶時の動作フローチャートである。
【図５】実施形態１の排尿日誌記録装置の通信時の動作フローチャートである。
【図６】記録された排尿日誌における過活動膀胱症の診断指標の一例を示す図である。
【図７】実施形態１の排尿日誌記録装置の使用概念を示す図である。
【図８】実施形態２の排尿日誌記録装置の外観図である。
【図９】実施形態２の排尿日誌記録装置の制御系のブロック図である。
【図１０】実施形態２の排尿日誌記録装置の記録時の動作フローチャートである。
【図１１】実施形態２の排尿日誌記録装置の使用概念を示す図である。
【発明を実施するための形態】
【００１０】
以下に、本発明の排尿日誌記録装置の実施形態を、実施形態１と実施形態２とに分けて説明する。実施形態１の排尿日誌記録装置は尿量を計測する計測部を備え、また、実施形態２の排尿日誌記録装置は計量部を備えていない腕時計型で実装したものである。
【００１１】
［実施形態１］
（排尿日誌記録装置の機械的な構成）
図１は、実施形態１の排尿日誌記録装置の外観図である。排尿日誌記録装置１００は、計測部１２０、通常排尿の記録スイッチ１３２、切迫感の記録スイッチ１３４、尿漏れの記録スイッチ１３６、キャリブレーションスイッチ１４２、通信スイッチ１４４、ＵＳＢライトスイッチ１４６、リセットスイッチ１４８、ディスプレイ１５０、日付設定スイッチ１５２を有する。
【００１２】
計測部１２０は、カップ１１０に採集された尿の重量から尿量を計測する。カップ１１０は、被検者の採尿に使用される。カップ１１０が計測部１２０に置かれると、その時の時刻が排尿終了時刻として記録される。
【００１３】
通常排尿の記録スイッチ１３２は、被検者が通常の状態で排尿するときに操作される記録スイッチである。通常排尿の記録スイッチ１３２が操作されると、通常排尿された旨とともにその時の時刻が排尿開始時刻として記録される。
【００１４】
切迫感の記録スイッチ１３４は、被検者が切迫感を感じた状態で排尿するときに操作される記録スイッチである。切迫感の記録スイッチ１３４が操作されると、切迫感があった旨とともにその時の時刻が排尿開始時刻として記録される。
【００１５】
尿漏れの記録スイッチ１３６は、被検者が尿漏れを起こしたときに操作される記録スイッチである。尿漏れの記録スイッチ１３６が操作されると、尿漏れがあった旨とともにその時の時刻が排尿開始時刻として記録される。
【００１６】
したがって、たとえば、被検者が、切迫感の記録スイッチ１３４を操作してカップ１１０に採尿し、採尿後のカップ１１０を計測部１２０に置くだけで、切迫感のある排尿が行われたことと、排尿開始時刻と、排尿終了時刻と、尿量の計測とが完了する。通常排尿の記録スイッチ１３２を操作して採尿したとき、尿漏れの記録スイッチ１３６を操作して採尿したときも、同様に、通常排尿が行われたこと、または尿漏れのあった排尿が行われたことと、排尿開始時刻と、排尿終了時刻と、尿量の計測とが完了する。
【００１７】
キャリブレーションスイッチ１４２は、カップ１１０の重量を差し引いて尿量の計測ができるようにするために設けたスイッチである。カップ１１０を計測部１２０に置くと、カップ１１０の重量が計測されるが、この状態でキャリブレーションスイッチ１４２を操作すると、計測重量が０にリセットされる。カップ１１０を計測部１２０に置いた状態の重量を０に設定しておくと、採尿後のカップ１１０を計測部１２０に置くだけで、尿量が計測できる。
【００１８】
通信スイッチ１４４は、記録されたすべての経時的排尿記録を外部のコンピュータに向けて送信するときに操作されるスイッチである。
【００１９】
ＵＳＢライトスイッチ１４６は、記録されたすべての経時的排尿記録をＵＳＢメモリ（登録商標）１４０に書き込ませるときに操作されるスイッチである。
【００２０】
一つの排尿記録は、排尿状況の種類（通常排尿、切迫感あり、尿漏れあり）と、排尿開始時刻と、排尿終了時刻と、計測された尿量からなる。排尿記録は１から記録の総数まで、時間順でメモリに保存され、テキストファイルが作成される。通信スイッチ１４４またはＵＳＢライトスイッチ１４６が押された時、テキストファイルが送信され、受信先に読み込まれる。
【００２１】
リセットスイッチ１４８は、被検者が変わる時に、すでに保存された排尿記録を消去する操作のためのスイッチである。
【００２２】
ディスプレイ１５０は、排尿開始時刻、排尿終了時刻、計測された尿量などを表示する７セグメントディスプレイである。なお、実施形態１では、ディスプレイ１５０として７セグメントディスプレイを例示しているが、液晶や有機ＥＬを利用したディスプレイであっても良い。
【００２３】
日付設定スイッチ１５２は、日付設定スイッチ１５２は、年月日や現在時刻を設定するときに操作されるスイッチである。表示ランプ１５４、１５５、１５６は年、月、日のどれを設定しているのかを表示するものである。なお、日付設定スイッチ１５２を用いて設定した時の時刻がディスプレイ１５０に表示される。
【００２４】
（排尿日誌記録装置の制御的な構成）
図２は、実施形態１の排尿日誌記録装置の制御系のブロック図である。排尿日誌記録装置１００の制御系は、ディスプレイ１５０、マイコン１６０、電源１７０、タイマー１８０、スイッチ類１９０、重量センサ２００、Ａ／Ｄ変換器２１０、無線通信部２２０、ＵＳＢモジュール２３０を有する。
【００２５】
ディスプレイ１５０は、図１のような７セグメントディスプレイである。
【００２６】
マイコン１６０は、排尿日誌記録装置１００に入力される上記の排尿記録を記録する。同時に、排尿日誌記録装置１００の全体的な動作を統括的に制御する。
【００２７】
電源１７０は、排尿日誌記録装置１００を動作させるための電力を供給する。
【００２８】
タイマー１８０は、記録スイッチ１３２、１３４、１３６が操作された時の時刻を排尿開始時刻として、および計測部１２０にカップ１１０が置かれた時の時刻を排尿終了時刻として、マイコン１６０に出力する。なお、タイマー１８０の年月日時刻は日付設定スイッチ１５２によって設定される。
【００２９】
スイッチ類１９０は、図１に示した、通常排尿の記録スイッチ１３２、切迫感の記録スイッチ１３４、尿漏れの記録スイッチ１３６、キャリブレーションスイッチ１４２、通信スイッチ１４４、ＵＳＢライトスイッチ１４６、リセットスイッチ１４８、日付設定スイッチ１５２である。
【００３０】
重量センサ２００は、計測部１２０に設けられ、カップ１１０に採集された尿の重量を計測する。
【００３１】
Ａ／Ｄ変換器２１０は、重量センサ２００が計測した尿の重量を、アナログ値からデジタル値に変換し、マイコン１６０に入力させる。
【００３２】
したがって、マイコン１６０は、記録スイッチ１３２、１３４、１３６が操作されたことにより、どのような状態の排尿が行われたか（通常排尿、切迫感、尿漏れ）と、記録スイッチ１３２、１３４、１３６が操作された時刻である排尿開始時刻と、採尿後のカップ１１０が計測部１２０に置かれた時刻である排尿終了時刻と、計測部１２０によって計測された尿量とを含む情報、すなわち排尿記録を記録する記録部として機能する。
【００３３】
無線通信部２２０は、排尿記録を、外部のコンピュータに向けて送信する部分である。無線通信部２２０は、排尿記録を、インターネット回線や電話回線などの通信回線を介して外部のコンピュータに送信しても良いし、ＬＡＮ回線などのローカル回線を介して外部のコンピュータに送信しても良い。また通信の方法は、実施形態１では無線通信を用いているが、有線であっても良い。無線通信部２２０は、図１の通信スイッチ１４４が操作されることによって、排尿記録を外部のコンピュータに向けて送信する
ＵＳＢモジュール２３０は、排尿記録を、ＵＳＢメモリに書き込む処理をするものである。ＵＳＢモジュール２３０は、図１のＵＳＢライトスイッチ１４６が操作されることによって、排尿記録をＵＳＢメモリ１４０に書き込む。
【００３４】
実施形態１の排尿日誌記録装置１００は、尿量を記録する機能、通常排尿、切迫感、尿漏れなどの情報を記録する機能、排尿開始時刻と排尿終了時刻を記録する機能、排尿記録を外部のコンピュータに向けて送信する機能、排尿記録をＵＳＢメモリ１４０に書き込む機能を有する。なお、外部のコンピュータは、送信されてきた排尿記録、またはＵＳＢメモリ１４０に書き込まれた排尿記録により、過活動膀胱症の質問票を作成させたり、過活動膀胱症の重症度を評価させたりする。
【００３５】
（排尿日誌記録装置の動作）
図３は、実施形態２の排尿日誌記録装置１００の動作フローチャートである。実施形態１の排尿日誌記録装置１００は次のように動作する。
【００３６】
まず、被検者は、採尿前に、排尿時に該当する記録スイッチを押す（Ｓ１００）。たとえば、切迫感も尿漏れもない、通常排尿のときには、図１の通常排尿の記録スイッチ１３２を押し、切迫感のある排尿のときには、切迫感の記録スイッチ１３４を押し、尿漏れのある排尿のときには、尿漏れの記録スイッチ１３６を押す。
【００３７】
図２のマイコン１６０は、被検者によってどの記録スイッチ１３２、１３４、１３６が押されたかということを判別し、排尿の種類（通常排尿、切迫感、尿漏れ）情報として記録すると同時に、その記録スイッチが押されたタイミングを排尿開始時刻として記録する（Ｓ１０１）。
【００３８】
次に、被検者はカップ１１０に採尿する（Ｓ１０２）。そして、被検者は、カップ１１０を図１の計測部１２０に置く（Ｓ１０３）。
【００３９】
マイコン１６０は、カップ１１０が計測部１２０に置かれた時の時刻を、排尿終了時刻として記録する（Ｓ１０４）。マイコン１６０は、計測部１２０の重量センサ２００が計測した尿重量から、尿の比重を勘案して、尿量に換算する（Ｓ１０５）。
【００４０】
マイコン１６０は、以上の処理によって、排尿記録を、記憶部に書き込む（Ｓ１０６）。
【００４１】
図４は、実施形態１の排尿日誌記録装置１００のメモリ記憶時の動作フローチャートである。
【００４２】
排尿記録をＵＳＢメモリ１４０に記憶させる場合、操作者は、ＵＳＢメモリ１４０を排尿日誌記録装置１００のＵＳＢコネクタに差し込む（Ｓ２００）。次に、操作者は、ＵＳＢライトスイッチ１４６を押す（Ｓ２０１）。
【００４３】
マイコン１６０は、ＵＳＢメモリ１４０に、記憶部に記憶されている排尿記録を書き込む（Ｓ２０２）。マイコン１６０は、書き込んでいる間に点滅させていたＬＥＤ点滅を終了させる（Ｓ２０３）。
【００４４】
図５は、実施形態１の排尿日誌記録装置１００の通信時の動作フローチャートである。
【００４５】
排尿記録を外部のコンピュータに送信する場合、操作者は、通信スイッチ１４４を押す（Ｓ３００）。無線通信部２２０は、マイコン１６０の記憶部に記憶されている排尿記録を送信する（Ｓ３０１）。マイコン１６０は、送信している間に点滅させていたＬＥＤ点滅を終了させる（Ｓ３０２）。
【００４６】
ＵＳＢメモリ１４０に記憶させた排尿記録、または無線通信部２２０から送信された排尿記録を用いて、外部のコンピュータは排尿日誌を作成する。
【００４７】
医療従事者は、この排尿日誌の記録を見て、過活動膀胱症の診断することができる。たとえば、図６に示すように、昼の尿の回数が７回未満であれば０点、８−１４回であれば１点、１５回以上であれば２点をそれぞれ割り付ける。また、夜の尿の回数が０回であれば０点、１回であれば１点、２回であれば２点、３回以上であれば３点をそれぞれ割り付ける。
【００４８】
次に、切迫感のある排尿の回数が、なければ０点、週に１回より少なければ１点、週に１回以上あれば２点、１日に１回くらいであれば３点、１日に２−４回あれば４点、１日に５回以上あれば５点をそれぞれ割り当てる。
【００４９】
次に、漏れのあった回数が、なければ０点、週に１回より少なければ１点、週に１回以上あれば２点、１日に１回くらいであれば３点、１日に２−４回あれば４点、１日に５回以上あれば５点をそれぞれ割り当てる。
【００５０】
そして、最後に、尿の回数、切迫感のある排尿の回数、漏れのあった回数の合計の点数を演算し、その総点数が３点以上であれば、過活動膀胱症の疑いがあると判断する。また、合計点数が３点以上５点未満であれば、過活動膀胱症の重症度は軽症と、合計点数が６−１１点であれば、過活動膀胱症の重症度は中度症と、合計点数が１１点よりも大きければ、過活動膀胱症の重症度は重症とそれぞれ判断する（日本排尿機能学会編集，過活動膀胱診療ガイドライン［第２版］，２０１５年）。
【００５１】
以上、実施形態１の排尿日誌記録装置１００は、図７に示しように、患者は、頻尿、尿漏れ（切迫性尿失禁）、切迫感（尿意切迫感）などの排尿時の状況を排尿日誌記録装置１００を用いて記録する。その結果は、携帯でモニタリングすることができ、また、ＵＳＢメモリに書き込み、手持ちデータを外来で医者に渡すこともできる。医者は、ＵＳＢメモリに書き込まれているデータをパソコンで開き、排尿日誌を作成し、排尿日誌の記録結果を見て、患者に指示することができる。また、患者は医者のアドバイスと、携帯のモニタリングから、症状の改善を試みることができる。
【００５２】
なお、医者のパソコンには、ＵＳＢメモリのデータから日誌を作成、印刷するためのソフトウェア、質問票を作成、印刷するためのソフトウェア、診断結果を作成、印刷するためのソフトウェア、患者の情報をマネージメントしたり、検索したりできるソフトウェアがインストールされている。
【００５３】
以上、計測部１２０を備えた実施形態１の排尿日誌記録装置１００について説明した。次に、計測部１２０を備えていない腕時計型の実施形態２の排尿日誌記録装置５００について説明する。腕時計型にしているのは、被検者が排尿日誌記録装置５００の持ち出しを容易にするためである。
【００５４】
［実施形態２］
（排尿日誌記録装置の機械的な構成）
図８は、実施形態２の排尿日誌記録装置の外観図である。排尿日誌記録装置５００は、腕時計型であり、通常排尿の記録スイッチ５３２、切迫感の記録スイッチ５３４、尿漏れの記録スイッチ５３６、通信スイッチ５４４、ディスプレイ５５０を有する。
【００５５】
通常排尿の記録スイッチ５３２、切迫感の記録スイッチ５３４、尿漏れの記録スイッチ５３６の作用は、図１の、通常排尿の記録スイッチ１３２、切迫感の記録スイッチ１３４、尿漏れの記録スイッチ１３６と同一である。また、通信スイッチ５４４は、図１の通信スイッチ１４４と同一である。スイッチ５４６、５４７、５４８はタイマーの調整用である。実施形態２のディスプレイ５５０は、記録スイッチが押された時の排尿時刻を表示する。また、ディスプレイ５５０は入力がない時には時計を表示する。ディスプレイ５５０は、液晶または有機ＥＬを用いたディスプレイである。
【００５６】
図９は、実施形態２の排尿日誌記録装置５００の制御系のブロック図である。排尿日誌記録装置５００の制御系は、ディスプレイ５５０、マイコン５６０、電源５７０、タイマー５８０、スイッチ類５９０、無線通信部５２０を有する。
【００５７】
ディスプレイ５５０、マイコン５６０、電源５７０、タイマー５８０、スイッチ類５９０、無線通信部５２０は、図１の、ディスプレイ１５０、マイコン１６０、電源１７０、タイマー１８０、スイッチ類１９０、無線通信部２２０と同一である。
【００５８】
（排尿日誌記録装置の動作）
図１０は、実施形態２の排尿日誌記録装置５００の動作フローチャートである。実施形態２の排尿日誌記録装置５００は次のように動作する。
【００５９】
まず、被検者は、排尿を開始する前に、排尿時に該当する記録スイッチを押す（Ｓ５００）。たとえば、切迫感も尿漏れもない、通常排尿のときには、図８の通常排尿の記録スイッチ５３２を押し、切迫感のある排尿のときには、切迫感の記録スイッチ５３４を押し、尿漏れのある排尿のときには、尿漏れの記録スイッチ５３６を押す。
【００６０】
図９のマイコン５６０は、被検者によって押された記録スイッチ５３２、５３４、５３６の種類別（通常排尿、切迫感、尿漏れ）と、排尿開始時刻、すなわち、記録スイッチ５３２、５３４、５３６が押された時刻を記録する（Ｓ５０１）。
【００６１】
次に、被検者は排尿が終了した後に、排尿時に押した記録スイッチ５３２、５３４、５３６と同一の記録スイッチ５３２、５３４、５３６を押す（Ｓ５０２）。
【００６２】
マイコン５６０は、記録スイッチ５３２、５３４、５３６が押された時の時刻を、排尿終了時刻として記録する（Ｓ５０３）。
【００６３】
マイコン５６０は、以上の処理によって、排尿記録を記憶部に書き込む（Ｓ５０４）。
【００６４】
実施形態２の一つの排尿記録は排尿状況の種類（通常排尿、切迫感あり、尿漏れあり）と、排尿開始時刻と、排尿終了時刻とからなる。メモリ上に保存された排尿記録の数は記録期間の排尿の回数であり、時間順で保存される。メモリに保存されたすべての排尿記録を一度に送信され、テキストファイルで受信先に読み込まれる。
【００６５】
実施形態２の腕時計型の排尿日誌記録装置５００は、実施形態１の排尿日誌記録装置１００とは異なり、計測部１２０とＵＳＢコネクタとを有しない。腕時計型の排尿日誌記録装置５００は、記録スイッチ５３２、５３４、５３６が手元にあるので、排尿記録を排尿の度にストレスなく、簡単に入力することができる。このため、医療従事者が操作する外部のコンピュータによって作成される排尿日誌の信頼性は、実施形態１の排尿日誌記録装置１００の場合よりも向上する。
【００６６】
以上、実施形態２の排尿日誌記録装置５００は、図１１に示すように、腕時計型の排尿日誌記録装置５００の通信部から、自身の携帯端末に排尿記録を送信することによって、携帯端末の画面上で排尿日誌を見ることができる。また、携帯端末に記憶されている情報を医療従事者のパソコンに送信し、そのパソコンに表示させるようにすれば、医者が患者の過活動膀胱の状態を正確に診断できる。
【００６７】
以上、実施形態１、２の排尿日誌記録装置１００、５００について説明した。しかし、本発明はこれらの実施形態に限定されるものではない。本発明の技術的範囲には、上記の一実施形態の他、その技術の分野にける通常の知識を有する者が改変することができる他の実施形態も包含する。
【符号の説明】
【００６８】
１００、５００  排尿日誌記録装置、
１１０  カップ、
１２０  計測部、
１３２、５３２  通常排尿の記録スイッチ、
１３４、５３４  切迫感の記録スイッチ、
１３６、５３６  尿漏れの記録スイッチ、
１４０  ＵＳＢメモリ、
１４２  キャリブレーションスイッチ、
１４４、５４４  通信スイッチ、
１４６  ＵＳＢライトスイッチ、
１４８  リセットスイッチ、
１５０、５５０  ディスプレイ、
１５２  日付設定スイッチ、
１５４、１５５、１５６  表示ランプ、
１６０、５６０  マイコン、
１７０、５７０  電源、
１８０、５８０  タイマー、
１９０、５９０  スイッチ類、
２００  重量センサ、
２１０  Ａ／Ｄ変換器、
２２０、５２０  無線通信部、
２３０  ＵＳＢモジュール
５４６、５４７、５４８  スイッチ。
【図１】
2020119442.tif 000003
【図２】
2020119442.tif 000004
【図３】
2020119442.tif 000005
【図４】
2020119442.tif 000006
【図５】
2020119442.tif 000007
【図６】
2020119442.tif 000008
【図７】
2020119442.tif 000009
【図８】
2020119442.tif 000010
【図９】
2020119442.tif 000011
【図１０】
2020119442.tif 000012
【図１１】
2020119442.tif 000013
【手続補正書】
【提出日】令和1年10月23日(2019.10.23)
【手続補正１】
【補正対象書類名】特許請求の範囲
【補正対象項目名】全文
【補正方法】変更
【補正の内容】
【特許請求の範囲】
【請求項１】
腕時計型の排尿日誌記録装置であって、
前記排尿日誌記録装置は、
通常排尿されるときに操作される通常排尿の記録スイッチ、尿意切迫感があったときに操作される切迫感の記録スイッチ、および尿失禁のあったときに操作される尿漏れの記録スイッチの内の少なくともいずれか１つ以上の記録スイッチと、
前記いずれかの記録スイッチの操作による排尿記録を経時的に記録する記録部と、
前記記録部に記録された排尿記録と時計を表示するディスプレイと、
前記記録部に記録された経時的な排尿記録を外部のコンピュータに向けて送信するときに操作される通信スイッチと、
前記記録スイッチが操作された時の時刻を計時するタイマーの調整用のスイッチと、
を有する、排尿日誌記録装置。
【請求項２】
前記記録部は、
操作された前記記録スイッチの種類別を記録すると同時に、前記記録スイッチが操作された時のタイミングを排尿開始時刻としてまたは排尿終了時刻として記録する、請求項１に記載の排尿日誌記録装置。
【手続補正２】
【補正対象書類名】明細書
【補正対象項目名】０００７
【補正方法】変更
【補正の内容】
【０００７】
上記目的を達成するための本発明にかかる排尿日誌記録装置は、腕時計型の排尿日誌記録装置であって、排尿日誌記録装置は、通常排尿されるときに操作される通常排尿の記録スイッチ、尿意切迫感があったときに操作される切迫感の記録スイッチ、および尿失禁のあったときに操作される尿漏れの記録スイッチの内の少なくともいずれか１つ以上の記録スイッチと、いずれかの記録スイッチの操作による排尿記録を経時的に記録する記録部と、記録部に記録された排尿記録と時計を表示するディスプレイと、記録部に記録された経時的な排尿記録を外部のコンピュータに向けて送信するときに操作される通信スイッチと、記録スイッチが操作された時の時刻を計時するタイマーの調整用のスイッチと、を有する。